(57)【要約】      （修正有）【課題】傘を開閉するときの手で操作する距離を短縮させ、傘の開閉がより省力的で便利な傘を提供する。【解決手段】中棒を含み、中棒に傘骨に接続される下ロクロが套設され、上記中棒の中部に弾性はじきが取付けられ、上記下ロクロの下端に延長押し上げ部５が固定接続され、上記延長押し上げ部５の下方に開閉機構が取付けられ、上記開閉機構は、位置制限筒６及び押引部７を含み、上記位置制限筒６が延長押し上げ部５の下端に固定され、上記押引部７が位置制限筒６に摺動可能に套設され、上記押引部７の下端にはじき筒が接続される迅速で省力的な傘開閉装置である。【選択図】図４
2019030632.tif 000002
【特許請求の範囲】
【請求項１】
傘骨に接続される下ロクロが套設される中棒を含む迅速で省力的な傘開閉装置であって、前記中棒の中部に弾性はじきが取付けられ、前記下ロクロの下端に延長押し上げ部が固定接続され、前記延長押し上げ部の下方に開閉機構が取付けられ、前記開閉機構は、位置制限筒及び押引部を含み、前記位置制限筒が延長押し上げ部の下端に固定され、前記押引部が位置制限筒に摺動可能に套設され、前記押引部の下端にはじき筒が接続されることを特徴とする迅速で省力的な傘開閉装置。
【請求項２】
前記位置制限筒の外壁に２つの位置制限リングが設けられ、前記複数の位置制限リングがそれぞれ、位置制限筒の上下両側に設けられ、前記押引部の内壁にストローク筒が設けられ、前記ストローク筒が上下２つの位置制限リングの間に設けられ、前記ストローク筒の長さが２つの位置制限リングの間の距離より短いことを特徴とする請求項１に記載の迅速で省力的な傘開閉装置。
【請求項３】
前記位置制限筒の外壁に位置制限スライド溝が設けられ、前記位置制限スライド溝が軸方向に沿って配置され、前記押引部の内壁に位置制限スライダーが設けられ、前記位置制限スライダーが位置制限スライド溝内に摺動可能に取付けられ、前記２つの位置制限リングの間の距離とストローク筒の長さとの差が位置制限スライド溝の長さ以下であることを特徴とする請求項２に記載の迅速で省力的な傘開閉装置。
【請求項４】
前記はじき筒の内壁の下端に複数の係止歯が設けられ、前記中棒の下端にロックカバーが設けられ、前記ロックカバーの外壁の上端にフランジが設けられ、傘が閉じた状態で、はじき筒の下端の係止歯とフランジが互いに嵌合することを特徴とする請求項１に記載の迅速で省力的な傘開閉装置。
【請求項５】
前記弾性はじきは、一体成形した係止片と内コア片との２つの部分を含み、前記中棒の側壁に溝口が開設され、前記内コア片が中棒の内壁に固定され、係止片が溝口を通過して溝口から伸び出し、前記係止片の溝口から伸び出した、中棒から遠い側の上下のいずれにも円弧形緩衝面が設けられることを特徴とする請求項１に記載の迅速で省力的な傘開閉装置。
【請求項６】
前記係止片の下端の円弧形緩衝面が中棒の外壁面に接し、前記係止片の上端の円弧形緩衝面の上端に係止肩が設けられ、前記係止肩が中棒に垂直であり、前記係止肩の長さはストローク筒の内壁の厚さと等しいことを特徴とする請求項５に記載の迅速で省力的な傘開閉装置。
【請求項７】
前記はじき筒の内径が押引部の内径より大きく、前記はじき筒の内壁と押引部の内壁との間に弓形斜面が設けられ、前記弓形斜面の傾斜度が係止片の上端の緩衝面の傾斜度以上であることを特徴とする請求項６に記載の迅速で省力的な傘開閉装置。
【請求項８】
前記中棒の上端に上ロクロが取付けられ、前記上ロクロの下方にスリーブが接続され、前記スリーブの外壁にリングが支持されることを特徴とする請求項１に記載の迅速で省力的な傘開閉装置。
【請求項９】
前記押引部の外壁に複数のつかみ溝が設けられ、前記つかみ溝が円弧形であることを特徴とする請求項１に記載の迅速で省力的な傘開閉装置。
【発明の詳細な説明】
【技術分野】
【０００１】
本発明は、傘の技術分野に関し、特に傘開閉装置に関する。
【背景技術】
【０００２】
ストレート傘は、一般に、傘生地、傘骨、中棒及び傘柄を含み、中棒の内部に上下２つの弾性はじきが取付けられ、特に、ストレート傘では、中棒に傘骨に接続される下ロクロがさらに套設され、下ロクロを押すことで弾性はじきを押し付け、且つ弾性はじきにより傘を開閉する際のロクロの位置を制限する。従来の傘では、通常２つのはじきを設置することで傘の開閉をロックする。しかし、このような２つのはじきの構造では、中棒に対して２つのはじき溝を設置する必要があるため、はじき全体の強度が破壊されることとなり、且つ、ロクロを直接押す必要があるため、使用者が傘を開閉するときに手で操作するストロークが比較的長くなり、且つ、２つのはじきが中棒の側壁から露出しているため、人を傷つける恐れがある。
【発明の概要】
【０００３】
従来技術における問題を克服するために、本発明は、迅速で省力的な傘開閉装置を提供する。
上記目的を達成するために、本発明は、以下の技術手段を提供する。傘骨に接続される下ロクロが套設される中棒を含み、上記中棒の中部に弾性はじきが取付けられ、上記下ロクロの下端に延長押し上げ部が固定接続され、上記延長押し上げ部の下方に開閉機構が取付けられ、上記開閉機構は、位置制限筒及び押引部を含み、上記位置制限筒が延長押し上げ部の下端に固定され、上記押引部が位置制限筒に摺動可能に套設され、上記押引部の下端にはじき筒が接続される迅速で省力的な傘開閉装置。
【０００４】
好ましくは、上記位置制限筒の外壁に２つの位置制限リングが設けられ、上記複数の位置制限リングはそれぞれ、位置制限筒の上下両側に設けられ、上記押引部の内壁にストローク筒が設けられ、上記ストローク筒は上下２つの位置制限リングの間に設けられ、上記ストローク筒の長さは２つの位置制限リングの間の距離より短い。
【０００５】
好ましくは、上記位置制限筒の外壁に位置制限スライド溝が設けられ、上記位置制限スライド溝は軸方向に沿って配置され、上記押引部の内壁に位置制限スライダーが設けられ、上記位置制限スライダーは位置制限スライド溝内に摺動可能に取付けられ、上記２つの位置制限リングの間の距離とストローク筒の長さとの差は位置制限スライド溝の長さ以下である。
【０００６】
好ましくは、上記はじき筒の内壁の下端に複数の係止歯が設けられ、上記中棒の下端にロックカバーが設けられ、上記ロックカバーの外壁の上端にフランジが設けられ、傘が閉じた状態で、はじき筒の下端の係止歯とフランジは互いに嵌合する。
【０００７】
好ましくは、上記弾性はじきは、一体形成した係止片と内コア片との２つの部分を含み、上記中棒の側壁に溝口が開設され、上記内コア片は中棒の内壁に固定され、係止片は溝口を通過して溝口から伸び出し、上記係止片の溝口から伸び出した、中棒から遠い側の上下のいずれにも円弧形緩衝面が設けられる。
【０００８】
好ましくは、上記係止片の下端の円弧形緩衝面は中棒の外壁面に接し、上記係止片の上端の円弧形緩衝面の上端に係止肩が設けられ、上記係止肩は中棒に垂直であり、上記係止肩の長さはストローク筒の内壁の厚さと等しい。
【０００９】
好ましくは、上記はじき筒の内径は押引部の内径より大きく、上記はじき筒の内壁と押引部の内壁との間に弓形斜面が設けられ、上記弓形斜面の傾斜度は係止片の上端の緩衝面の傾斜度以上である。
【００１０】
好ましくは、上記中棒の上端に上ロクロが取付けられ、上記上ロクロの下方にスリーブが接続され、上記スリーブの外壁にリングが支持される。
【００１１】
上記押引部の外壁に複数のつかみ溝が設けられ、上記つかみ溝は円弧形である。
【００１２】
従来技術に比べて、本発明の有益な効果は以下の通りである。押引部を動かすことで、傘を開閉することができ、延長押し上げ部及び開閉機構の設置により、使用者が傘を開くために必要な操作ストロークを短縮でき、より省力的で便利である。傘を開くとき、開閉機構を押すことで、延長押し上げ部が上向きに移動し、弾性はじきが押し付けられて下ロクロ、延長押し上げ部、及び開閉機構を順次通過し、はじき筒内で弾出し、係止片の係止肩が位置制限筒の下端面に係止され、それによって、傘が開く。傘を閉じるとき、まず、弓形斜面が係止片の上端斜切面に当接するまで押引部を位置制限筒に対して下向きに摺動させ、さらに押し付けてはじきを圧縮させ、下ロクロの上端に係止するまではじきを位置制限筒、延長押し上げ部、及び下ロクロ内壁上で走行させるように引き続き引き下げる。上記の全過程において、はじきが常に開閉機構内に保護されているため、はじきの外部への露出による使用者への傷つけが回避され、安全性が向上する。
【図面の簡単な説明】
【００１３】
【図１】本発明の迅速で省力的な傘開閉装置の構造模式図である。
【図２】本発明の迅速で省力的な傘開閉装置の別の構造模式図である。
【図３】図２の断面図である。
【図４】図３のＡ部分の一部拡大図である。
【図５】本発明の押引部の構造模式図である。
【図６】図５の断面図である。
【図７】本発明の位置制限筒の構造模式図である。
【図８】本発明のロックカバーの構造模式図である。
【図９】本発明の弾性はじきの構造模式図である。
【発明を実施するための形態】
【００１４】
図１〜３を参照しながら、本発明に係る迅速で省力的な傘開閉装置に関する実施例を更に説明する。
【００１５】
本発明の迅速で省力的な傘開閉装置は、中棒１を含み、中棒１に、傘骨２に接続される下ロクロ３が套設され、上記中棒１の中部に弾性はじき４が取付けられ、上記下ロクロ３の下端に延長押し上げ部５が固定接続され、上記延長押し上げ部５の下方に開閉機構が取付けられ、上記開閉機構は、位置制限筒６及び押引部７を含み、上記位置制限筒６は延長押し上げ部５の下端に固定され、上記延長押し上げ部５の下方に位置制限係止溝８が設けられ、上記位置制限筒６の上端に位置制限係止ブロック９が設けられ、上記延長押し上げ部５の下方は位置制限筒６の外壁に套設され、位置制限係止ブロック９は位置制限係止溝８内に係止され、上記位置制限係止ブロック９の上端に取付け切り面１０が設けられ、上記取付け切り面１０の上端は位置制限筒６の外壁面に接し、上記押引部７は位置制限筒６に摺動可能に套設され、上記押引部７の下端にはじき筒１１が接続され、上記はじき筒１１と押引部７は一体形成される。
【００１６】
さらに、上記位置制限筒６の外壁に２つの位置制限リング１２が設けられ、上記２つの位置制限リング１２はそれぞれ位置制限筒６の上下両側に設けられ、上記押引部７の内壁にストローク筒１３が設けられ、上記ストローク筒１３は上下２つの位置制限リング１２の間に設けられ、上記ストローク筒１３の長さは２つの位置制限リング１２の間の距離より短い。位置制限リング１２及びストローク筒１３の設置により、押引部７を位置制限筒６上に軸方向に沿って一定のストローク移動させることで、傘を開閉することができる。
【００１７】
さらに、上記位置制限筒６の外壁に位置制限スライド溝１４が設けられ、上記位置制限スライド溝１４は軸方向に沿って配置され、上記押引部７の内壁に位置制限スライダー１５が設けられ、上記位置制限スライダー１５は位置制限スライド溝１４内に摺動可能に取付けられ、上記２つの位置制限リング１２の間の距離とストローク筒１３の長さとの差は位置制限スライド溝１４の長さ以下である。位置制限スライド溝１４と位置制限スライダー１５を併用することにより、押引部７の位置制限筒６における回転を防止し、空回りの発生を回避することができるとともに、押引部７と位置制限筒６の摩耗を低減する。
【００１８】
さらに、上記はじき筒１１の内壁の下端に複数の係止歯１６が設けられ、上記中棒１の下端にロックカバー１７が設けられ、上記ロックカバー１７の外壁の上端にフランジ１８が設けられる。傘が閉じた状態で、はじき筒１１の下端の係止歯１６とフランジ１８が互いに嵌合することで、押引部７がロックされ、傘を閉じた後押引部７が位置制限筒６上で揺れることを防止する。
【００１９】
さらに、上記弾性はじき４は、一体形成した係止片４１と内コア片４２の２つの部分を含み、上記中棒１の側壁に溝口が開設され、上記内コア片４２は中棒１の内壁に固定され、係止片４１は溝口を通過して溝口から伸び出し、上記係止片４１の溝口から伸び出した、中棒１から遠い側の上下のいずれにも円弧形緩衝面が設けられ、上記係止片４１の下端の円弧形緩衝面は中棒１の外壁面に接し、上記係止片４１の上端の円弧形緩衝面の上端に係止肩２０が設けられ、上記係止肩２０は中棒１に垂直であり、上記係止肩２０の長さはストローク筒１３の内壁の厚さと等しく、上記中棒１の内壁にロック溝が設けられ、上記内コア片４２の係止片４１から遠い側にロックブロック１９が設けられ、上記ロックブロック１９はロック溝内に取付けられ、係止肩２０によりロックされ、押引部７を動かすことで係止片４１の斜切面を押し付けることができ、この過程において、係止片４１の上端の斜切面、係止肩２０、及び弓形斜面２１は共にスイッチを構成する。
【００２０】
さらに、上記はじき筒１１の内径は押引部７の内径より大きく、上記はじき筒１１の内壁と押引部７の内壁との間に弓形斜面２１が設けられ、上記弓形斜面２１の傾斜度は係止片４１上端緩衝面の傾斜度以上であり、傘が開いた状態で、はじきが中棒１から突出し、弾性はじき４ははじき筒１１により完全に覆われることで、弾性はじき４との直接接触により人を傷つけることを回避する。
【００２１】
さらに、上記中棒１の上端に上ロクロが取付けられ、上記上ロクロの下方にスリーブが接続され、上記スリーブの外壁にリングが支持される。
【００２２】
さらに、上記押引部７の外壁に複数のつかみ溝が設けられ、上記つかみ溝は円弧形であり、全体としてひょうたん状で、中国の伝統的なデザイン美学理論に適合し、表面に皮膚模様を採用することで、手触り感を増している。
【００２３】
上記の説明は、本発明の好ましい実施形態に過ぎず、本発明の保護範囲を限定するものではない。本発明の構想に属する技術手段は、いずれも本発明の保護範囲に含まれる。本発明の趣旨及び範囲を逸脱しない限り、当業者であれば、様々な変更及び修飾を加えることができ、これらの変更及び修飾も本発明の保護範囲に含まれるべきである。
【符号の説明】
【００２４】
１、中棒；２、傘骨；３、下ロクロ；４、弾性はじき；４１、係止片；４２、内コア片；５、延長押し上げ部；６、位置制限筒；７、押引部；８、位置制限係止溝；９、位置制限係止ブロック；１０、取付け切り面；１１、はじき筒；１２、位置制限リング；１３、ストローク筒；１４、位置制限スライド溝；１５、位置制限スライダー；１６、係止歯；１７、ロックカバー；１８、フランジ；１９、ロックブロック；２０、係止肩；２１、弓形斜面。
【図１】
2019030632.tif 000003
【図２】
2019030632.tif 000004
【図３】
2019030632.tif 000005
【図４】
2019030632.tif 000006
【図５】
2019030632.tif 000007
【図６】
2019030632.tif 000008
【図７】
2019030632.tif 000009
【図８】
2019030632.tif 000010
【図９】
2019030632.tif 000011